(57)【特許請求の範囲】
【請求項１】
開口が設けられた本体と、
前記開口を覆うように前記本体に取り付けられる矩形状の化粧パネルと、
を備え、
前記化粧パネルは、前記本体の前記開口と対向する位置に配置された矩形状の吸込みグリルを有し、
前記吸込みグリルは、前記吸込みグリルの一辺側が前記化粧パネルの一辺側に回動自在に支持されていると共に、前記化粧パネルに着脱自在に取り付けられており、
前記吸込みグリルの一辺側と前記化粧パネルの一辺側とは、前記吸込みグリルと前記化粧パネルとの間に延びる複数の落下防止用の紐により連結されており、
前記化粧パネルには、前記複数の落下防止用の紐の一方の端部を固定するための２つのパネル爪部が設けられており、
前記吸込みグリルには、前記複数の落下防止用の紐の他方の端部を固定するための２つのグリル爪部が設けられており、
前記２つのパネル爪部同士の距離Ｗ１が、前記２つのグリル爪部同士の距離Ｗ２よりも大きくなるように形成されており、
前記２つのパネル爪部は、前記化粧パネルの長手方向に沿って配置されていると共に、前記２つのグリル爪部は、前記吸込みグリルの長手方向に沿って配置されており、
前記落下防止用の紐の前記吸込みグリルの長手方向の張力Ｘと、鉛直方向の張力Ｚとが等しくなるように、前記２つのパネル爪部同士の間の距離Ｗ１と、前記２つのグリル爪部同士の間の距離Ｗ２とが定められて前記２つのパネル爪部と前記２つのグリル爪部とが配置されている空気調和機の室内機。
【請求項２】
前記落下防止用の紐の延びる方向が、前記吸込みグリルの長手方向に対して４５度の角度に形成されている請求項１に記載の空気調和機の室内機。
【請求項３】
前記吸込みグリルは、
互いに対向する長辺側壁部を有し、
前記２つのグリル爪部のそれぞれは、
前記長辺側壁部から前記吸込みグリルの短手方向に突出するように形成された板状の中間壁部と、
前記中間壁部に両端が接続した半環状の突起部と、
を有し、
前記２つのグリル爪部のそれぞれが有する前記突起部は、前記２つのグリル爪部が有する前記中間壁部同士が対向する面とは反対側の面から突出するように形成されている請求項１又は２に記載の空気調和機の室内機。
【請求項４】
前記化粧パネルは、
平面視で短手方向の中央に位置し、長手方向に延びるように設けられた中央枠部と、
平面視で短手方向の端部に位置し、前記中央枠部に対向して長手方向に延びるように設けられた外枠部と、
を有し、
前記パネル爪部は、
前記外枠部において、前記中央枠部と対向する面を形成する内側壁部から突出するように形成されており、一端が前記内側壁部と接続し他端が二股に分かれる柱部と、
前記柱部の二股に分かれた端部のそれぞれから前記内側壁部と前記柱部との接続部に向けて湾曲するように形成され、前記パネル爪部の先端部を構成する湾曲部と、
を有する請求項１〜３のいずれか１項に記載の空気調和機の室内機。
【請求項５】
請求項１〜４のいずれか１項に記載の空気調和機の室内機を備えた空気調和機。
【発明の詳細な説明】
【技術分野】
【０００１】
本発明は、空気調和機の室内機及びこの室内機を備えた空気調和機、特に吸込みグリルの落下防止の紐を備えた室内機の化粧パネルに関するものである。
【背景技術】
【０００２】
従来、空気調和機の室内機においては、化粧パネルに吸込みグリルを開閉自在、着脱自在に取り付けるものが知られている。そして、吸込みグリルの着脱時の落下防止のために、化粧パネルと吸込みグリルとを紐でつないだ室内機が提案されている（特許文献１参照）。
【先行技術文献】
【特許文献】
【０００３】
【特許文献１】特開２００１−１０８２５９号公報
【発明の概要】
【発明が解決しようとする課題】
【０００４】
従来の室内機は、吸込みグリルを化粧パネルから外し、化粧パネルと吸込みグリルとが紐のみで固定されている場合に、紐は吸込みグリルの重さで鉛直方向に延びるように取り付けられている。その結果、化粧パネルから吸込みグリルを外し、化粧パネルと吸込みグリルとが紐のみで固定されている場合に、吸込みグリルが前後左右に揺れて作業者あるいは壁に接触する場合がある。【０００５】
本発明は、上記のような課題を解決するためになされたもので、吸込みグリルを化粧パネルから外し、化粧パネルと吸込みグリルとが紐のみで固定されている場合に、吸込みグリルが前後左右に揺れることを軽減する空気調和機の室内機及びこの室内機を備えた空気調和機を提供するものである。
【課題を解決するための手段】
【０００６】
本発明に係る空気調和機の室内機は、開口が設けられた本体と、開口を覆うように本体に取り付けられる矩形状の化粧パネルと、を備え、化粧パネルは、本体の開口と対向する位置に配置された矩形状の吸込みグリルを有し、吸込みグリルは、吸込みグリルの一辺側が化粧パネルの一辺側に回動自在に支持されていると共に、化粧パネルに着脱自在に取り付けられており、吸込みグリルの一辺側と化粧パネルの一辺側とは、吸込みグリルと化粧パネルとの間に延びる複数の落下防止用の紐により連結されており、化粧パネルには、複数の落下防止用の紐の一方の端部を固定するための２つのパネル爪部が設けられており、吸込みグリルには、複数の落下防止用の紐の他方の端部を固定するための２つのグリル爪部が設けられており、２つのパネル爪部同士の距離Ｗ１が、２つのグリル爪部同士の距離Ｗ２よりも大きくなるように形成されており、２つのパネル爪部は、化粧パネルの長手方向に沿って配置されていると共に、２つのグリル爪部は、吸込みグリルの長手方向に沿って配置されており、落下防止用の紐の吸込みグリルの長手方向の張力Ｘと、鉛直方向の張力Ｚとが等しくなるように、２つのパネル爪部同士の間の距離Ｗ１と、２つのグリル爪部同士の間の距離Ｗ２とが定められて２つのパネル爪部と２つのグリル爪部とが配置されているものである。
【発明の効果】
【０００７】
本発明に係る空気調和機の室内機は、落下防止用の紐を固定するパネル爪部同士の間の距離Ｗ１が、落下防止用の紐を固定するグリル爪部同士の間の距離Ｗ２よりも大きくなるように形成されている。そのため、室内機は、化粧パネルと吸込みグリルとが紐のみの固定となった場合に、落下防止用の紐には、鉛直方向の他に、吸込みグリルの長手方向にも張力がかかることになる。その結果、室内機は、化粧パネルと吸込みグリルとが紐のみの固定となった場合に、落下防止用の紐の、吸込みグリルの長手方向の張力により、吸込みグリルが前後左右に揺れることを軽減することができる。
【図面の簡単な説明】
【０００８】
【図１】本発明の実施の形態１に係る空気調和機の室内機を示す斜視図である。
【図２】本発明の実施の形態１に係る空気調和機の室内機の吸込みグリルが開いた状態を示す斜視図である。
【図３】本発明の実施の形態１に係る空気調和機の室内機の化粧パネルから吸込みグリルが開いた状態を示す正面図である。
【図４】本発明の実施の形態１に係る空気調和機の室内機の化粧パネルと吸込みグリルとの係合部を示す図３のＡ部の拡大図である。
【図５】本発明の実施の形態１に係る空気調和機の室内機の化粧パネルと吸込みグリルとの紐の固定位置を表した簡易図である。
【図６】本発明の実施の形態１に係る空気調和機の室内機の化粧パネルと吸込みグリルとの紐の固定位置を表した他の例の簡易図である。
【図７】距離Ｗ１と距離Ｗ２とがほぼ等しい場合の室内機の吸込みグリルを開いた状態の簡略化した部分拡大図である。
【図８】距離Ｗ１と距離Ｗ２とがほぼ等しい場合の室内機の吸込みグリルを閉じた状態の簡略化した部分拡大図である。
【図９】本発明の実施の形態１に係る空気調和機の室内機の吸込みグリルを開いた状態の簡略化した部分拡大図である。
【図１０】本発明の実施の形態１に係る空気調和機の室内機の吸込みグリルを閉じた状態の簡略化した部分拡大図である。
【図１１】本発明の実施の形態１に係る空気調和機の構成例を表す図である。
【発明を実施するための形態】
【０００９】
以下、本発明の実施の形態に係る空気調和機の室内機及び空気調和機について図面等を参照しながら説明する。以下の図面において、同一の符号を付したものは、同一又はこれに相当するものであり、以下に記載する実施の形態の全文において共通することとする。そして、明細書全文に表わされている構成要素の形態は、あくまでも例示であって、明細書に記載された形態に限定するものではない。また、図面では各構成部材の大きさの関係が実際のものとは異なる場合がある。なお、本実施の形態において、理解を容易にするために方向を表す用語（例えば「上」、「下」、「右」、「左」、「前」、「後」など）を適宜用いるが、これは説明のためのものであって、これらの用語は本願発明を限定するものではない。
【００１０】
実施の形態１．
［室内機の構成］
図１は、本発明の実施の形態１に係る空気調和機の室内機を示す斜視図である。図２は、本発明の実施の形態１に係る空気調和機の室内機の吸込みグリルが開いた状態を示す斜視図である。図１及び図２に示すＸ軸は、室内機１００の長手方向を示し、Ｙ軸は室内機１００の短手方向を示し、Ｚ軸は室内機１００の高さ方向を示すものである。なお、Ｚ軸において、Ｚ１は上方向あるいは天井側を示し、Ｚ２は下方向あるいは室内側を示す。
【００１１】
室内機１００は、室内熱交換器（図示せず）が収容され、図２に示すように、下面に開口部１６が設けられた本体１０と、図１に示すように、開口部１６を覆うように本体１０に取り付けられる矩形状の化粧パネル１１とを備えている。図１に示す室内機１００は、化粧パネル１１が天井板から露出し、天井板の内側に本体１０が設置される天吊形、カセット形の室内機、あるいは、天井面埋め込み形、壁掛け形の室内機である。
【００１２】
［化粧パネル］
化粧パネル１１は、樹脂材で形成されており、平面視で矩形状に形成されている。なお、化粧パネル１１の長手方向（Ｘ軸方向）、短手方向（Ｙ軸方向）及び高さ方向（Ｚ軸方向）は、上述した室内機１００の長手方向（Ｘ軸方向）、短手方向（Ｙ軸方向）及び高さ方向（Ｚ軸方向）と一致する。化粧パネル１１は、本体１０の開口部１６と対向する位置に配置された矩形状の吸込みグリル１２を有する。吸込みグリル１２は、図１に示すように、化粧パネル１１の長手方向（Ｘ軸方向）の中央部分に配置されている。また、化粧パネル１１は、吸込みグリル１２の長手方向（Ｘ軸方向）の両側に設けられたサイドパネル１５を備える。さらに、化粧パネル１１には、化粧パネル１１の短手方向（Ｙ軸方向）の一方の端部側（Ｙ２側）において、化粧パネル１１の長手方向（Ｘ軸方向）に沿って、本体１０から吹き出された空気を通過させるための吹出口１３が形成されている。なお、吹出口１３が形成される位置は、化粧パネル１１の短手方向の一方の端部側（Ｙ２側）に限定されるものではなく、化粧パネル１１の短手方向の他方の側（Ｙ１側）に吹出口１３が形成されてもよい。また、吹出口１３が形成される位置は、化粧パネル１１の短手方向のいずれか一方の端部側に限定するものではなく、化粧パネル１１の短手方向の両方の端部側（Ｙ１側及びＹ２側）に形成されていてもよい。化粧パネル１１の吹出口１３の位置には、本体１０から吹出される空気の風向きを変化させるための風向フラップ１３ａが配置されている。また、化粧パネル１１は、図２に示すように、平面視で、短手方向の中央に位置し長手方向に延びるように設けられた中央枠部１１ａと、短手方向の端部に位置し、中央枠部１１ａに対向して長手方向に延びるように設けられた外枠部１１ｂとを有する。中央枠部１１ａと、外枠部１１ｂとは、本体１０と、吸込みグリル１２との間に位置している。
【００１３】
［吸込みグリル］
吸込みグリル１２は、吸込みグリル１２の一辺側が化粧パネル１１の一辺側に回動自在に支持されていると共に、化粧パネル１１に着脱自在に取り付けられている。吸込みグリル１２は、化粧パネル１１の意匠面に配置されている。吸込みグリル１２は、互いに対向する前部長辺側壁部１２ａ１及び後部長辺側壁部１２ａ２と、前部長辺側壁部１２ａ１及び後部長辺側壁部１２ａ２のそれぞれと直交するように配設された複数の短辺側壁部１２ｂとを有する。また、吸込みグリル１２は、前部長辺側壁部１２ａ１と、後部長辺側壁部１２ａ２と、短辺側壁部１２ｂとで囲まれた底面部１２ｃを有する。後部長辺側壁部１２ａ２は、吸込みグリル１２において吹出口１３側（Ｙ２側）の壁を形成し、前部長辺側壁部１２ａ１は、吹出口１３とは反対側（Ｙ１側）の壁を形成する。吸込みグリル１２は、平面視で矩形状に形成されており、吸込みグリル１２の長手方向が、化粧パネル１１の長手方向（Ｘ軸方向）と同じ方向となる。すなわち、吸込みグリル１２の長手方向（Ｘ軸方向）、短手方向（Ｙ軸方向）及び高さ方向（Ｚ軸方向）は、上述した室内機１００の長手方向（Ｘ軸方向）、短手方向（Ｙ軸方向）及び高さ方向（Ｚ軸方向）と一致する。なお、前部長辺側壁部１２ａ１及び後部長辺側壁部１２ａ２は、本発明の「長辺側壁部」に相当する。
【００１４】
吸込みグリル１２の底面部１２ｃには、図１に示すように長手方向（Ｘ軸方向）に沿って吸込口１４が形成されている。吸込口１４は、吸込みグリル１２の本体１０側（Ｚ１側）と室内側（Ｚ２側）とを貫通する孔である。吸込口１４の内側には、平行な複数の横桟１４ａとこれら横桟と直交して連結する縦桟１４ｂとが設けられている。室内の空気は、吸込みグリル１２に形成された吸込口１４を通過して本体１０の内部に吸い込まれる。
【００１５】
［化粧パネルと吸込みグリルの固定］
図３は、本発明の実施の形態１に係る空気調和機の室内機の化粧パネルから吸込みグリルが開いた状態を示す正面図である。図４は、本発明の実施の形態１に係る空気調和機の室内機の化粧パネルと吸込みグリルとの係合部を示す図３のＡ部の拡大図である。
【００１６】
吸込みグリル１２は、前部長辺側壁部１２ａ１に設けられ、中空部が吸込みグリル１２の長手方向に形成されている筒状の軸受部１７を備えている。化粧パネル１１は、外枠部１１ｂにおいて、軸が化粧パネル１１の長手方向と平行するように形成されており、化粧パネル１１の長手方向にスライドする支持軸部１８を備えている。支持軸部１８は、化粧パネル１１の長手方向と平行するように形成された軸１８ａと、外枠部１１ｂと接する底壁部１８ｂ１に長円状の開口部１８ｂ２が形成されたスライド部１８ｂと、を有する。支持軸部１８は、開口部１８ｂ２に挿入されたネジ５０によってネジ止めされて外枠部１１ｂに固定されている。支持軸部１８は、ネジ５０を緩めることにより、開口部１８ｂ２に挿入されているネジ５０に沿わせて化粧パネル１１の長手方向（Ｘ軸方向）に移動させることができる。
【００１７】
この支持軸部１８の軸１８ａが、軸受部１７の中空部に挿入されることで、支持軸部１８と軸受部１７とが係合し、化粧パネル１１と吸込みグリル１２とが固定される。そして、支持軸部１８と軸受部１７とが係合していることで、吸込みグリル１２の開閉時に支持軸部１８の軸１８ａが回転軸となり、吸込みグリル１２の長手方向の一辺側は、化粧パネル１１の一辺側に回動自在に支持されている。吸込みグリル１２は、回動することで、本体１０の開口部１６を覆い、または、露出させることができる。吸込みグリル１２を開閉できるようにしているのは、吸込みグリル１２に取り付けられるエアーフィルタの交換、本体１０内の清掃作業を行えるようにするためである。なお、化粧パネル１１と吸込みグリル１２との固定は、支持軸部１８と軸受部１７との係合による固定に限定されるものではなく、吸込みグリル１２が化粧パネル１１に回動自在に支持されていれば他の方法によって固定されてもよい。たとえば、吸込みグリル１２に設けられた長手方向の軸を、化粧パネル１１に設けられた鈎状の取付部に掛けるようにして、吸込みグリル１２が回動自在に化粧パネル１１に支持されるようにして、化粧パネル１１と吸込みグリル１２とを固定してもよい。
【００１８】
支持軸部１８を、開口部１８ｂ２に挿入されているネジ５０に沿わせて化粧パネル１１の長手方向（Ｘ軸方向）に移動させ、軸受部１７から、支持軸部１８の軸１８ａを抜くことで吸込みグリル１２を、化粧パネル１１から取り外すことができる。すなわち、吸込みグリル１２は、支持軸部１８を長手方向（Ｘ軸方向）に移動させることで、化粧パネル１１に取り付けたり、化粧パネル１１から取り外したりすることができる。
【００１９】
［落下防止紐］
室内機１００は、支持軸部１８を軸受部１７から外した際に、吸込みグリル１２の落下を防止するための紐２０を有する。吸込みグリル１２は、吸込みグリル１２の一辺側が化粧パネル１１の一辺側に回動自在に支持されていると共に、化粧パネル１１に着脱自在に取り付けられている。回動自在に支持され、着脱自在に取り付けられている吸込みグリル１２の一辺側と化粧パネル１１の一辺側とは、吸込みグリル１２と化粧パネル１１との間に延びる複数の落下防止用の紐２０により連結されている。
【００２０】
化粧パネル１１には、図３及び図４に示すように、吸込みグリル１２と化粧パネル１１との間に延びる複数の落下防止用の紐２０の一方の端部２０ａを固定するための２つのパネル爪部３０が設けられている。パネル爪部３０は、外枠部１１ｂにおいて、中央枠部１１ａと対向する面を形成する内側壁部１１ｂ１から突出するように形成されている。２つのパネル爪部３０は、化粧パネル１１の長手方向に沿って配置されている。それぞれのパネル爪部３０は、図４に示すように、一端が内側壁部１１ｂ１と接続し他端が二股に分かれる柱部３１と、二股に分かれた端部のそれぞれから内側壁部１１ｂ１と柱部３１との接続部１１ｃに向けて湾曲するように形成され、パネル爪部３０の先端部を構成する湾曲部３２とを有する。パネル爪部３０は、柱部３１と湾曲部３２とを有することで紐を掛けやすく、掛けた紐が外れにくくなる。
【００２１】
吸込みグリル１２には、図３及び図４に示すように、吸込みグリル１２と化粧パネル１１との間に延びる複数の落下防止用の紐２０の他方の端部２０ｂを固定するための２つのグリル爪部４０が設けられている。２つのグリル爪部４０は、吸込みグリル１２の長手方向に沿って配置されている。グリル爪部４０は、前部長辺側壁部１２ａ１から、吸込みグリル１２の短手方向に突出するように形成された板状の中間壁部４１と、中間壁部４１に両端が接続した半環状の突起部４２とを有する。２つのグリル爪部４０が有する突起部４２は、２つのグリル爪部４０が有する中間壁部４１同士が対向する面とは反対側の面から突出するように形成されている。
【００２２】
紐２０は、図４に示すように、二つ折りにした紐２０の折り目側の端部２０ａが化粧パネル１１のパネル爪部３０に掛けられ、紐２０の折り目と反対側の端部２０ｂが吸込みグリル１２のグリル爪部４０に結ばれている。なお、紐２０は、パネル爪部３０とグリル爪部４０とを確実に連結させるものであればよく、必ずしも二つ折にする必要はない。例えば、紐２０の一方の端部２０ｂをグリル爪部４０に結びつけ、他方の端部２０ａに環状の接続具を設け、その接続具をパネル爪部３０に掛けるようにしてもよい。
【００２３】
ここで、２つのパネル爪部３０同士の間の距離Ｗ１は、２つのグリル爪部４０同士の間の距離Ｗ２よりも大きくなるように形成されている。そのため、化粧パネル１１と吸込みグリル１２とを結ぶ２つの紐２０は、鉛直方向（Ｚ軸方向）に略平行にならず、化粧パネル１１側の紐２０同士の距離が、吸込みグリル１２側の紐２０同士の距離よりも大きくなるように、斜めに紐２０が配置される。その結果、紐２０には、鉛直方向（Ｚ軸方向）以外に、吸込みグリル１２の長手方向（Ｘ軸方向）にも紐の張力がかかることになる。
【００２４】
図５は、本発明の実施の形態１に係る空気調和機の室内機の化粧パネルと吸込みグリルとの紐の固定位置を表した簡易図である。図６は、本発明の実施の形態１に係る空気調和機の室内機の化粧パネルと吸込みグリルとの紐の固定位置を表した他の例の簡易図である。図５の室内機と図６の室内機とは、グリル爪部４０の配置位置が異なるものである。図５では、室内機１００は、パネル爪部３０同士の間の距離Ｗ１が、グリル爪部４０同士の間の距離Ｗ２１よりも大きくなるように形成されている。図６もまた、室内機１００は、パネル爪部３０同士の間の距離Ｗ１が、グリル爪部４０同士の間の距離Ｗ２よりも大きくなるように形成されている。図５では、室内機１００の吸込みグリル１２側のグリル爪部４０が、図６の室内機１００よりも、吸込みグリル１２の中央に近い配置されている。
【００２５】
図５の室内機１００は、紐２０の張力による吸込みグリル１２の長手方向（Ｘ軸方向）の張力Ｘが鉛直方向（Ｚ軸方向）の張力Ｚよりも大きくなっている。そのため、図５の室内機１００は、図６の室内機１００よりも、吸込みグリル１２が長手方向（Ｘ軸方向）に振れやすくなる。図６の、室内機１００は、落下防止用の紐２０の吸込みグリル１２の長手方向の張力Ｘと、落下防止用の紐２０の鉛直方向の張力Ｚとがほぼ等しい。図６の、室内機１００は、張力Ｘと張力Ｚとが等しくなるように、２つのパネル爪部３０同士の間の距離Ｗ１と、２つのグリル爪部４０同士の間の距離Ｗ２とが定められてパネル爪部３０とグリル爪部４０とが配置されている。あるいは、落下防止用の紐２０の延びる方向が、吸込みグリル１２の長手方向に対して４５度の角度に形成されている。すなわち、図６に示す、紐２０と吸込みグリル１２とで形成する角度θが４５度の角度に形成されている。したがって、図６の、室内機１００は、紐２０の張力による吸込みグリル１２の長手方向（Ｘ軸方向）の張力Ｘと、鉛直方向（Ｚ軸方向）の張力Ｚとがほぼつりあう構成になっており、紐２０で保持される吸込みグリル１２の安定性が高くなる。
【００２６】
次に、吸込みグリル１２の化粧パネル１１への取り付けについて説明する。吸込みグリル１２の化粧パネル１１への取り付けは、まず、化粧パネル１１のパネル爪部３０と吸込みグリル１２のグリル爪部４０とを落下防止用の紐２０で結ぶ。その後、軸受部１７の中空部に軸１８ａを挿入して、吸込みグリル１２の軸受部１７に化粧パネル１１の支持軸部１８を取付ける。このとき、吸込みグリル１２は紐２０によって仮固定されているため、支持軸部１８と軸受部１７との位置合せの必要が無く、容易に取り付けることができる。次に、支持軸部１８を回転軸として吸込みグリル１２を回転させ、吸込みグリル１２と化粧パネル１１との面を合わせ、吸込みグリル１２と化粧パネル１１とを支持軸部１８の対辺側で固定する。吸込みグリル１２の化粧パネル１１からの取り外しは、取り付けと逆の手順で行われる。
【００２７】
図７は、距離Ｗ１と距離Ｗ２とがほぼ等しい場合の室内機の吸込みグリルを開いた状態の簡略化した部分拡大図である。図８は、距離Ｗ１と距離Ｗ２とがほぼ等しい場合の室内機の吸込みグリルを閉じた状態の簡略化した部分拡大図である。もし、パネル爪部３０とグリル爪部４０との配置により距離Ｗ１と距離Ｗ２とがほぼ等しい場合には、紐２０は、鉛直方向（Ｚ軸方向）に延びるように配置される。この場合、図８のように、吸込みグリル１２を閉じた場合に、紐２０の撓む量が多く、紐２０が化粧パネル１１と吸込みグリル１２との間に挟みこまれる場合がある。
【００２８】
図９は、本発明の実施の形態１に係る空気調和機の室内機の吸込みグリルを開いた状態の簡略化した部分拡大図である。図１０は、本発明の実施の形態１に係る空気調和機の室内機の吸込みグリルを閉じた状態の簡略化した部分拡大図である。本発明の実施の形態１に係る空気調和機の室内機１００のように、パネル爪部３０とグリル爪部４０との配置により距離Ｗ１が距離Ｗ２よりも大きい場合には、紐２０は、鉛直方向（Ｚ軸方向）と共に吸込みグリル１２の長手方向（Ｘ軸方向）に延びるように配置される。この場合、図８のように、吸込みグリル１２を閉じた場合に、紐２０の撓む量が少なく、化粧パネル１１と吸込みグリル１２との間に紐２０を挟みこむことなく吸込みグリル１２を化粧パネル１１に取り付けることができる。
【００２９】
以上のように、室内機１００は、パネル爪部３０同士の間の距離Ｗ１が、グリル爪部４０同士の間の距離Ｗ２よりも大きくなるように形成されている。そのため、室内機１００は、化粧パネル１１と吸込みグリル１２とが紐２０のみの固定となった場合に、落下防止用の紐２０には、鉛直方向の他に、吸込みグリル１２の長手方向にも張力がかかることになる。その結果、室内機１００は、化粧パネル１１と吸込みグリル１２とが紐２０のみの固定となった場合に、落下防止用の紐２０の、吸込みグリル１２の長手方向の張力により、吸込みグリル１２が前後左右に揺れることを軽減することができる。そのため、化粧パネル１１と吸込みグリル１２とが紐２０のみの固定となった場合に、吸込みグリルが、作業者あるいは壁に接触することを防止することができ、吸込みグリルの着脱時の作業者の安全性と作業性の向上を図ることができる。
【００３０】
また、室内機１００は、例えば、化粧パネルに設けられた２つパネル爪部（紐の固定位置）の間の距離と、吸込みグリルに設けられた２つのグリル爪部（紐の固定位置）の間の距離とがほぼ等しく形成されている室内機と比較しても、化粧パネルと吸込みグリルとが紐のみの固定となった場合に、吸込みグリルが左右に揺れることを軽減することができる。なぜなら、化粧パネルに設けられた２つ紐の固定位置の間の距離と、吸込みグリルに設けられた２つの紐の固定位置の間の距離とがほぼ等しく形成されている室内機は、化粧パネルと吸込みグリルとが紐のみの固定となった場合に、化粧パネルと吸込みグリルとを固定する２つの紐が、鉛直方向に平行に延びるように構成されている。そのため、このような室内機は、紐には鉛直方向の張力しかかかっておらず、吸込みグリルが左右方向に振れる場合に吸込みグリルの移動を引き止める吸込みグリルの長手方向の紐の張力が存在していない。その結果、このような室内機は、化粧パネルと吸込みグリルとが紐のみの固定となった場合に、吸込みグリルが左右方向に振れやすくなる。
【００３１】
これに対し、室内機１００は、パネル爪部３０同士の間の距離Ｗ１が、グリル爪部４０同士の間の距離Ｗ２よりも大きくなるように形成されている。そのため、室内機１００は、化粧パネル１１と吸込みグリル１２とが紐２０のみの固定となった場合に、落下防止用の紐２０には、鉛直方向の他に、吸込みグリル１２の長手方向にも張力がかかることになる。その結果、室内機１００は、化粧パネル１１と吸込みグリル１２とが紐２０のみの固定となった場合に、落下防止用の紐２０の、吸込みグリル１２の長手方向の張力により、吸込みグリル１２が左右に揺れることを軽減することができる。そのため、化粧パネル１１と吸込みグリル１２とが紐２０のみの固定となった場合に、吸込みグリルが、作業者あるいは壁に接触することを防止することができ、吸込みグリルの着脱時の作業者の安全性と作業性の向上を図ることができる。
【００３２】
また、室内機１００は、落下防止用の紐２０の吸込みグリル１２の長手方向（Ｘ軸方向）の張力Ｘと、落下防止用の紐２０の鉛直方向（Ｚ軸方向）の張力Ｚとが等しくなるように、パネル爪部３０同士の間の距離Ｗ１と、グリル爪部４０同士の間の距離Ｗ２とが定められてパネル爪部３０とグリル爪部４０とが配置されている。そのため、室内機１００は、落下防止用の紐２０の吸込みグリル１２の長手方向（Ｘ軸方向）の張力Ｘと、落下防止用の紐２０の鉛直方向（Ｚ軸方向）の張力Ｚとがほぼつりあう形に構成されている。その結果、室内機１００は、化粧パネル１１と吸込みグリル１２とが紐２０のみの固定となった場合に、吸込みグリル１２の安定性が高くなる。
【００３３】
また、室内機１００は、落下防止用の紐２０の延びる方向が、吸込みグリル１２の長手方向に対して４５度の角度に形成されている。そのため、室内機１００は、落下防止用の紐２０の吸込みグリル１２の長手方向（Ｘ軸方向）の張力Ｘと、落下防止用の紐２０の鉛直方向（Ｚ軸方向）の張力Ｚとがほぼつりあう形に構成されている。その結果、室内機１００は、化粧パネル１１と吸込みグリル１２とが紐２０のみの固定となった場合に、吸込みグリル１２の安定性が高くなる。
【００３４】
また、室内機１００は、パネル爪部３０同士の間の距離Ｗ１が、グリル爪部４０同士の間の距離Ｗ２よりも大きくなるように形成されている。そのため、吸込みグリル１２を紐２０によって仮固定することができ、吸込みグリル１２の位置決めが容易となり、吸込みグリル１２の取り付け時の作業性が向上する。
【００３５】
また、室内機１００は、パネル爪部３０同士の間の距離Ｗ１が、グリル爪部４０同士の間の距離Ｗ２よりも大きくなるように形成されている。そのため、吸込みグリル１２を化粧パネル１１に閉じたときの紐２０の撓みを軽減することができる。その結果、吸込みグリル１２を閉じるときに紐が吸込みグリル１２と化粧パネル１１との間に挟まらないように紐を収納させる作業を省略することができ、吸込みグリル１２の取り付け時の作業性が向上する。
【００３６】
また、室内機１００は、グリル爪部４０が、前部長辺側壁部１２ａ１から、吸込みグリル１２の短手方向に突出するように形成された板状の中間壁部４１と、中間壁部４１に両端が接続した半環状の突起部４２とを有する。そして、２つのグリル爪部４０が有する突起部４２は、２つのグリル爪部４０が有する中間壁部４１同士が対向する面とは反対側の面から突出するように形成されている。そのため、突起部４２は、紐２０が引っ張る方向に突出しており、化粧パネル１１と吸込みグリル１２とが紐２０のみの固定となった場合に、紐２０によって引っ張られる力をできるだけ正面から受けるような構造となっている。そのため、突起部４２には、バランスよく紐２０の張力がかかり、グリル爪部４０の耐久性を維持することができる。
【００３７】
また、室内機１００は、それぞれのパネル爪部３０が、一端が内側壁部１１ｂ１と接続し他端が二股に分かれる柱部３１と、二股に分かれた端部のそれぞれから内側壁部１１ｂ１と柱部３１との接続部１１ｃに向けて湾曲するように形成され、パネル爪部３０の先端部を構成する湾曲部３２とを有する。パネル爪部３０が、柱部３１と湾曲部３２とを有することで、パネル爪部３０に紐２０を掛けやすく、また、掛けた紐２０が外れにくくなる。
【００３８】
図１１は、本発明の実施の形態１に係る空気調和機の構成例を表す図である。ここで、図１１は、空気調和機１を冷凍サイクル装置の例として示している。図１１において、実線の矢印は冷房運転時の冷媒の流れを示し、点線の矢印は暖房運転時の冷媒の流れを示す。図１１の空気調和機１は、室外機２００と、室内機１００とを有し、室外機２００と室内機１００とはガス冷媒配管３００及び液冷媒配管４００により配管接続されている。
【００３９】
室外機２００は、圧縮機２１０、流路切替装置２２０、室外熱交換器２３０、及び膨張弁２４０を有している。圧縮機２１０は、吸入した冷媒を圧縮して吐出する。ここで、特に限定するものではないが、圧縮機２１０は、例えばインバータ回路等により制御され、運転周波数を任意に変化させることにより、圧縮機２１０の容量（単位時間あたりの冷媒を送り出す量）を変化させることができるようにしてもよい。流路切替装置２２０は、例えば四方弁であり、冷媒の流路の方向の切り換えが行われる装置である。室外熱交換器２３０は、冷媒と空気（室外の空気）との熱交換を行う。室外熱交換器２３０は、暖房運転時においては蒸発器として機能し、冷媒を蒸発させ、気化させる。また、室外熱交換器２３０は、冷房運転時においては凝縮器として機能し、冷媒を凝縮して液化させる。膨張弁２４０は、絞り装置（流量制御手段）であり、膨張弁２４０を流れる冷媒の流量を調節することにより、膨張弁として機能し、流入してきた冷媒を減圧するものである。例えば、膨張弁２４０が、電子式膨張弁等で構成された場合は、制御装置（図示せず）等の指示に基づいて開度調整が行われる。
【００４０】
室内機１００は、室内熱交換器１１０を有する。室内熱交換器１１０は、空調対象となる空気と冷媒との熱交換を行う。室内熱交換器１１０は、暖房運転時においては凝縮器として機能し、冷媒を凝縮して液化させる。また、室内熱交換器１１０は、冷房運転時においては蒸発器として機能し、冷媒を蒸発させ、気化させる。
【００４１】
以上のように、空気調和機１は、室外機２００の流路切替装置２２０を用いて冷媒の流れを切り換えることで、暖房運転及び冷房運転を実現することができる。
【００４２】
なお、本発明の実施の形態は、上記実施の形態１に限定されず、種々の変更を加えることができる。例えば、グリル爪部４０は、紐２０の端部２０ｂを固定できればよく、吸込みグリル１２の底面部１２ｃに半環状の突出部を設けてもよい。同様に、パネル爪部３０は、紐２０の端部２０ａを固定できればよく、内側壁部１１ｂ１に半環状の突出部を設けてもよい。
【符号の説明】
【００４３】
１  空気調和機、１０  本体、１１  化粧パネル、１１ａ  中央枠部、１１ｂ  外枠部、１１ｂ１  内側壁部、１１ｃ  接続部、１２  吸込みグリル、１２ａ１  前部長辺側壁部、１２ａ２  後部長辺側壁部、１２ｂ  短辺側壁部、１２ｃ  底面部、１３  吹出口、１３ａ  風向フラップ、１４  吸込口、１４ａ  横桟、１４ｂ  縦桟、１５  サイドパネル、１６  開口部、１７  軸受部、１８  支持軸部、１８ａ  軸、１８ｂ  スライド部、１８ｂ１  底壁部、１８ｂ２  開口部、２０  紐、２０ａ  端部、２０ｂ  端部、３０  パネル爪部、３１  柱部、３２  湾曲部、４０  グリル爪部、４１  中間壁部、４２  突起部、５０  ネジ、１００  室内機、１１０  室内熱交換器、２００  室外機、２１０  圧縮機、２２０  流路切替装置、２３０  室外熱交換器、２４０  膨張弁、３００  ガス冷媒配管、４００  液冷媒配管。
【図１】
0006707174.tif 000002
【図２】
0006707174.tif 000003
【図３】
0006707174.tif 000004
【図４】
0006707174.tif 000005
【図５】
0006707174.tif 000006
【図６】
0006707174.tif 000007
【図７】
0006707174.tif 000008
【図８】
0006707174.tif 000009
【図９】
0006707174.tif 000010
【図１０】
0006707174.tif 000011
【図１１】
0006707174.tif 000012